(57)【要約】【課題】本発明は制御スケジューリングの送信方法及び基地局を開示する。該方法は、進化基地局が、形成できない制御スケジューリング情報を下りパイロットタイムスロットで送信するステップを含む。【解決手段】本発明によって、制御スケジューリング情報を下りサービスタイムスロットから下りパイロットタイムスロットに移動して送信し、時間-周波数伝送の効率を高くし、送信機設計の難しさを低くし、無線アクセスシステムの容量に有利し、受信機の設計を簡単化する。【選択図】なし
2010502138.tif 000002
【特許請求の範囲】
【請求項１】
eNodeBが形成できない制御スケジューリング情報を下りパイロットタイムスロットで送信するステップを含むことを特徴とする制御スケジューリング情報の送信方法。
【請求項２】
eNodeBセルの帯域幅が、下りパイロット情報が占用する帯域幅より大きい場合、前記eNodeBがフレームおき或いは毎フレーム送信方式を採用して前記制御スケジューリング情報を送信し、eNodeBセルの帯域幅が、下りパイロット情報が占用する帯域幅と同じ場合、フレームおき送信方式を採用して前記制御スケジューリング情報を送信することを特徴とする請求項１に記載の方法。
【請求項３】
前記フレームおき送信方式における間隔は、１フレーム或いは複数フレームであることを特徴とする請求項２に記載の方法。
【請求項４】
前記eNodeBは、下りパイロット情報が存在するサブフレームにおいて、制御スケジューリング情報及び前記下りパイロット情報を同一の下りパイロットタイムスロットに多重して送信することを特徴とする請求項１に記載の方法。
【請求項５】
前記eNodeBは、下りパイロット情報が存在しないサブフレームにおいて、制御スケジューリング情報を全体の下りパイロットタイムスロットにマッピングして送信することを特徴とする前記請求項１に記載の方法。
【請求項６】
eNodeBセルの帯域幅が、下りパイロット情報が占用する帯域幅より大きい場合、下りパイロットタイムスロットを利用して下りパイロット情報を送信し、下りパイロット情報を送信した後残った周波数リソースを利用して制御スケジューリング情報を送信し、或いは、下りパイロットタイムスロットのすべての周波数リソースを利用して制御スケジューリング情報を送信することを特徴とする請求項２に記載の方法。
【請求項７】
形成できない制御スケジューリング情報を下りパイロットタイムスロットにおいてユーザデバイスに送信する送信機能モジュールを含むことを特徴とする基地局。
【請求項８】
前記基地局は、基地局セルの帯域幅が、下りパイロット情報が占める帯域幅より大きい場合、フレームおき或いは毎フレーム送信方式を採用して前記制御スケジューリング情報を送信し、基地局セルの帯域幅が、下りパイロット情報が占用する帯域幅と同じ場合、フレームおき送信方式を採用して前記制御スケジューリング情報を送信することを特徴とする請求項７に記載の基地局。
【請求項９】
前記基地局は、下りパイロット情報が存在するサブフレームにおいて、制御スケジューリング情報及び前記下りパイロット情報を同一の下りパイロットタイムスロットに多重して送信し、下りパイロット情報が存在しないサブフレームにおいて、制御スケジューリング情報を全体の下りパイロットタイムスロットにマッピングして送信することを特徴とする請求項７に記載の基地局。
【請求項１０】
前記基地局は、基地局セルの帯域幅が、下りパイロット情報が占用する帯域幅より大きい場合、下りパイロットタイムスロットを利用して下りパイロット情報を送信し、下りパイロット情報を送信した後残った周波数リソースを利用して制御スケジューリング情報を送信し、或いは、下りパイロットタイムスロットのすべての周波数リソースを利用して制御スケジューリング情報を送信することを特徴とする請求項８に記載の基地局。
【発明の詳細な説明】
【技術分野】
【０００１】
本発明は、通信技術分野に関し、特に基地局及び制御スケジューリング情報の送信方法に関する。
【背景技術】
【０００２】
従来の通信システムにおいて、端末受信機は、データの復調を行う前に、基地局から送信された制御スケジューリング情報を受信する。該情報は、端末受信機がどのような動作を行うかを通知するために用いられ、例えば、下りリンクのリソースが存在する物理チャネル、符号化方式などである。このように、端末受信機は、リソースアサインメント、シグナリングブロックの有効時間などのパラメータのようなデータの受信に必要なスケジューリング情報を予め獲得することができる。
【０００３】
直交周波数分割多重（Orthogonal frequency division multiplexing, OFDM）システムにおいて、リソース割り当ての方法が非常に柔軟的であり、さらにOFDMシステムが要求する伝送の最小の伝送時間間隔（Transmission Time Interval, TTI）が一つのサブフレームであり、即ち、極めて短い時間内に伝送パラメータの変化が要求されるので、現在のOFDMシステムにおいて、すべてのスケジューリング情報及びサービスは、同じTTI中で、スケジューリングされたリソースブロックとともに伝送される。
【０００４】
現在の進化基地局（eNodeB）は、制御シグナリングを伝送する時、多くの制御シグナリングとサービスデータとを一緒にユーザデバイス（User Equipment, UE）に伝送する。この多くの制御スケジューリング情報のうち、一部はUEがデータを受信する前に予め受信すべき情報であり、UEは、該情報を取得すれば、対応する下りリンクリソースブロックから自身に属するデータを呼び込む。復調する前に端末受信機が予めを受信する必要がある該部分の情報は、受信したユーザからのビーム方向に依存できず、データ信号処理技術を通じて、ビームを送信する最強側を該方向に合わせるようにする情報、すなわち、この部分の情報は形成できない。
【０００５】
現在の直交周波数分割多重−時分割デュプレックス（OFDM-TDD）システムは、制御スケジューリング情報を下りサービスタイムスロットに置き、サービスデータと一緒に送信し、比較的典型的なのは下りスケジューリング情報である。
【０００６】
下りスケジューリング情報は、第一類の制御スケジューリング情報、第二類の制御スケジューリング情報、及び第三類の制御スケジューリング情報を含んでいる。そのうち、第一類の制御スケジューリング情報は、UE番号、リソースアサインメント方式、及びシグナリングブロックの有効時間を含み、第二類の制御スケジューリング情報は、アンテナのデータ情報、変調方式、及び負荷のサイズを含み、第三類の制御スケジューリング情報は、非同期ハイブリッド自動再送モードを採用する場合、ハイブリッド自動再送すべきプロセス番号、冗長バージョン、及び新たなデータ指示などを含み、非同期ハイブリッド自動再送モードを採用する場合、再送すべきシーケンス番号を伝送する必要がある。そのうち、第一類の制御スケジューリング情報は、UEが下りデータを受信する前に予め受信すべき情報であり、形成できない情報である。第二類と第三類の制御スケジューリング情報は、UE専用の制御スケジューリング情報であり、形成できる情報である。
【０００７】
図１は、従来技術において、サービスデータと制御スケジューリング情報を下りサービスタイムスロットにおいて混合して伝送するフレーム構造を示す図である。そのうち、R１は、第一の参照符号であり、R２は、第二の参照符号であり、Dは、サービスデータであり、C１は、第一類の制御スケジューリング情報であり、C２は、第二類の制御スケジューリング情報であり、C３は、第三類の制御スケジューリング情報である。
【０００８】
サービスデータと第二、第三類の制御スケジューリング情報は形成が必要であり、形成できない第一類の制御スケジューリング情報は、一つのサブフレームを通じてそれらと一緒に伝送し、このようにして送信機の処理の難しさが増加された。UEが予め第一類の制御スケジューリング情報を受信すべきであるため、第一類のスケジューリング情報とサービスデータとを同じサブフレームを通じて伝送する場合に、たとえば、第一類の制御スケジューリング情報がサブフレームの最も先端にあるとき、受信機は、非常に短い時間内に第一類の制御スケジューリング情報に対する復調とチャネル復号化とを完了してサービスデータのスケジューリング情報を抽出し、このようにして受信機に対する要求が高くなった。受信機がすべてのリソースを受信する方法を採用してデータを失わないことを保証できたとしても、受信機の処理の複雑度が極めて増加され、UEの設計に不利である。
【０００９】
図２は、従来技術のOFDM-TDDのサブフレーム構造を示す図である。そのうち、TS1〜TS6は、サービスタイムスロットであり、TS０は、下りブロードキャストタイムスロットであり、GPは、ガードタイムスロットであり、UpPTSは、上りパイロットタイムスロットである。現在、OFDM-TDDシステムのサブフレーム構造において、下りパイロットタイムスロット（DwPTS）には下りパイロット情報のみを載せ、下りパイロット情報が占める1.25MHzの帯域の以外に、また一部の周波数リソースが利用されていない。リソースの大きさは、セルのブロードバンドが占める状況により定める必要があり、セルのブロードバンドが広いほど利用されていないリソースが多くなり、それによって、リソースが浪費され、時間−周波数伝送の効率が低下する。
【００１０】
以上をまとめると、従来技術において、形成できない制御スケジューリング情報を下りサービスタイムスロットを通じて送信することは、送信機の処理難しさを増加させ、受信機に対する要求を増加させた。
【００１１】
さらに、従来技術において、下りパイロットタイムスロットにおいて下りパイロット情報のみを伝送し、一部の周波数リソースが利用されていない。このようにして、リソースが浪費され、時間−周波数伝送の効率が低下する。
【発明の概要】
【発明が解決しようとする課題】
【００１２】
本発明の目的は、現在の下がりサービスタイムスロットを通じて制御スケジューリング情報を送信して、送信機の設計難しさを増加する問題を解決することができる基地局及び制御スケジューリング情報の送信方法を提供することである。
【課題を解決するための手段】
【００１３】
本発明の方法は、eNodeBが形成できない制御スケジューリング情報を下りパイロットタイムスロットで送信するステップを含む。
【００１４】
eNodeBセルの帯域幅が、下りパイロット情報が占用する帯域幅より大きい場合、前記eNodeBがフレームおき或いは毎フレーム送信方式を採用して前記制御スケジューリング情報を送信し、eNodeBセルの帯域幅が、下りパイロット情報が占用する帯域幅と同じ場合、フレームおき送信方式を採用して前記制御スケジューリング情報を送信する。
【００１５】
前記フレームおき送信方式における間隔は、１フレーム或いは複数フレームである。
【００１６】
前記eNodeBは、下りパイロット情報が存在するサブフレームにおいて、制御スケジューリング情報及び前記下りパイロット情報を同一の下りパイロットタイムスロットに多重して送信する。
【００１７】
前記eNodeBは、下りパイロット情報が存在しないサブフレームにおいて、制御スケジューリング情報を全体の下りパイロットタイムスロットにマッピングして送信する。
【００１８】
eNodeBセルの帯域幅が、下りパイロット情報が占用する帯域幅より大きい場合、下りパイロットタイムスロットを利用して下りパイロット情報を送信し、下りパイロット情報を送信した後残った周波数リソースを利用して制御スケジューリング情報を送信し、或いは、下りパイロットタイムスロットのすべての周波数リソースを利用して制御スケジューリング情報を送信する。
【００１９】
本発明の基地局は、形成できない制御スケジューリング情報を下りパイロットタイムスロットにおいてユーザデバイスに送信する送信機能モジュールを含む。
【００２０】
前記基地局は、基地局セルの帯域幅が、下りパイロット情報が占める帯域幅より大きい場合、フレームおき或いは毎フレーム送信方式を採用して前記制御スケジューリング情報を送信し、基地局セルの帯域幅が、下りパイロット情報が占用する帯域幅と同じ場合、フレームおき送信方式を採用して前記制御スケジューリング情報を送信する。
【００２１】
前記基地局は、下りパイロット情報が存在するサブフレームにおいて、制御スケジューリング情報及び前記下りパイロット情報を同一の下りパイロットタイムスロットに多重して送信し、下りパイロット情報が存在しないサブフレームにおいて、制御スケジューリング情報を全体の下りパイロットタイムスロットにマッピングして送信する。
【００２２】
前記基地局は、基地局セルの帯域幅が、下りパイロット情報が占用する帯域幅より大きい場合、下りパイロットタイムスロットを利用して下りパイロット情報を送信し、下りパイロット情報を送信した後残った周波数リソースを利用して制御スケジューリング情報を送信し、或いは、下りパイロットタイムスロットのすべての周波数リソースを利用して制御スケジューリング情報を送信する。
【発明の効果】
【００２３】
本発明は形成できない制御スケジューリング情報をOFDM-TDDシステムの下りサービスタイムスロットから下りパイロットタイムスロットに移動して送信して、下りパイロットタイムスロットにおいて利用可能な一部の周波数リソースも利用して、時間−周波数伝送の効率を高めるし、送信機の設計難しさが低くなり、無線アクセスシステムの容量の増加と受信機の設計を簡単にすることに役立つ。
【図面の簡単な説明】
【００２４】
【図１】従来技術において、サービスデータと制御スケジューリング情報とを下りサービスタイムスロットにおいて混合して伝送するフレーム構造を示す図である。
【図２】従来技術のOFDM-TDDのサブフレーム構造を示す図である。
【図３】本発明の基地局の接続を示す図である。
【図４】本発明の方法を実現する全体的なフローを示す図である。
【図５Ａ】本発明の制御スケジューリング情報及び下りパイロット情報の３種類の送信状況のOFDM-TDDサブフレームの構造図である。
【図５Ｂ】本発明の制御スケジューリング情報及び下りパイロット情報の３種類の送信状況のOFDM-TDDサブフレームの構造図である。
【図５Ｃ】本発明の制御スケジューリング情報及び下りパイロット情報の３種類の送信状況のOFDM-TDDサブフレームの構造図である。
【発明を実施するための形態】
【００２５】
以下、図面を参照しながら、本発明を実施するための最良の形態について詳しく説明する。
【００２６】
本発明は、形成できない制御スケジューリング情報を下りパイロットタイムスロットを通じて送信し、下りパイロットタイムスロットにおいて利用可能な一部の周波数リソースを利用して、時間−周波数伝送の効率を高めた。また、制御スケジューリング情報を下りサービスタイムスロットから離脱させ、下りサービスタイムスロットを通じて送信しないため、送信機の設計の難しさが低くなり、無線アクセスシステムの容量の増加と受信機の設計を簡単にすることに役立つ。
【００２７】
本発明の三つの基本技術案は、次のようになる。
【００２８】
eNodeBセルの帯域幅が、下りパイロット情報が占める帯域幅1.25MHzより大きい場合、eNodeBは、下りパイロット情報のフレームおき送信方式に基づいて、下りパイロット情報が存在するサブフレームにおいて、制御スケジューリング情報を下りパイロット情報と同じ下りパイロットタイムスロットに多重して同時に送信し、下りパイロット情報が存在しないサブフレームにおいて、制御スケジューリング情報を全体の下りパイロットタイムスロットにマッピングして送信する。
【００２９】
eNodeBセルの帯域幅が、下りパイロット情報が占める帯域幅1.25MHzより大きい場合、eNodeBは、下りパイロット情報の毎フレーム送信方式に基づいて、制御スケジューリング情報を下りパイロット情報と同じ下りパイロットタイムスロットに多重して毎フレームと同時に送信する。
【００３０】
eNodeBセルの帯域幅が、下りパイロット情報が占める帯域幅1.25MHzと同じ場合、eNodeBは、下りパイロット情報のフレームおき送信方式に基づいて、下りパイロット情報が存在しないサブフレームにおいて、制御スケジューリング情報を下りパイロットタイムスロットの全体の帯域幅リソースにマッピングして送信する。
【００３１】
図３は、本発明の基地局の接続を示す図である。同図に示すように、eNodeBはユーザデバイスに接続され、eNodeBは、制御スケジューリング情報を下りパイロットタイムスロットにおいてユーザデバイスに送信する。
【００３２】
図４は、本発明の方法を実現する全体的なフローを示す図である。本発明の制御スケジューリング情報とは、形成できない制御スケジューリング情報である。
【００３３】
同図に示すように、本発明の方法は、おおまかに以下のステップを含む。
【００３４】
ステップ４００において、eNodeBは、eNodeBセルの帯域幅が1.25MHzより大きいか否かを調べ、大きい場合は、ステップ４０１を実施し、そうでない場合は、ステップ４０８を実施する。
【００３５】
ステップ４０１において、制御フラット・フォームでは下りパイロット情報の送信方式を配置し、フレームおきに送信する場合は、ステップ４０２を実施し、そうでない場合は、ステップ４０５を実施する。
【００３６】
制御フラット・フォームでは下りパイロット情報の送信方式を配置し、eNodeBは、同じ送信方式を選択して下りパイロット情報を送信する。
【００３７】
ステップ４０２において、eNodeBは、制御スケジューリング情報を下りパイロットタイムスロットに多重とマッピングする。
【００３８】
サブフレームに下りパイロット情報が存在する場合、eNodeBは、制御スケジューリング情報を下りパイロット情報と同じ帯域リソース中の異なるサブキャリアリソースに多重する。
【００３９】
サブフレームに下りパイロット情報が存在しない場合、eNodeBは、制御スケジューリング情報を下りパイロットタイムスロットの全体の帯域リソースにマッピングする。
【００４０】
ステップ４０３において、eNodeBは、フレームおき送信方式に基づいて、送信待ちデータを準備する。
【００４１】
eNodeBは、送信しようとする情報に基づいてデータを準備する。下りパイロット情報及び制御スケジューリング情報を送信しようとする場合、準備するデータは、下りパイロット情報及び制御スケジューリング情報であり、制御スケジューリング情報を送信しようとする場合、準備するデータは制御スケジューリング情報である。
【００４２】
ステップ４０４において、eNodeBは、送信を準備する毎フレームの下りパイロットタイムスロットの前に、送信待ちデータをRF送信ユニットに伝送し、周波数マッピングの方式を通じて送信する。
【００４３】
ステップ４０５において、eNodeBは、制御スケジューリング情報を下りパイロットタイムスロットに多重する。
【００４４】
下りパイロット情報が存在するサブフレームにおいて、eNodeBは、制御スケジューリング情報を下りパイロット情報と同じ帯域リソース中の異なるサブキャリアリソースに多重する。
【００４５】
ステップ４０６において、eNodeBは、毎フレームの送信方式に基づいて送信待ちデータを準備する。
【００４６】
eNodeBは、毎フレームの送信方式に基いて下りパイロット情報及び制御スケジューリング情報のデータを準備する。
【００４７】
ステップ４０７において、eNodeBは、送信を準備する毎フレームの下りパイロットタイムスロットの前に、送信待ちデータをRF送信ユニットに伝送し、周波数マッピングの方式を通じて送信する。
【００４８】
ステップ４０８において、eNodeBは、制御スケジューリング情報を下りパイロット情報が存在しない下りパイロットタイムスロットにマッピングする。
【００４９】
ステップ４０９において、eNodeBは、フレームおき送信方式に基いて、送信待ちデータを準備する。
【００５０】
eNodeBは、送信しようとする情報に基いてデータを準備する。下りパイロット情報を送信しようとする場合、準備するデータは、下りパイロット情報であり、制御スケジューリング情報を送信しようとする場合、準備するデータは、制御スケジューリング情報である。
【００５１】
ステップ４１０において、eNodeBは、送信を準備する毎フレームの下りパイロットタイムスロットの前に、送信待ちデータをRF送信ユニットに伝送し、周波数マッピングの方式を通じて送信する。
【００５２】
図５Ａは、本発明のeNodeBセルの帯域幅が1.25MHzより大きくて、毎フレーム送信方式のOFDM-TDDサブフレーム構造図である。
【００５３】
同図から分かるように、eNodeBセルの帯域幅が1.25MHzより大きいので、毎フレーム送信方式を採用し、本発明は、制御スケジューリング情報を下りパイロットタイムスロットに多重し、下りパイロット情報は、1.25MHzの帯域幅を占め、それ以外のブロードバンドリソースは、全て制御スケジューリング情報に占用される。
【００５４】
eNodeBがOFDM-TDDサブフレームを送信する時間は5msであり、下りパイロット情報及び制御スケジューリング情報は毎フレームにおいて同時に送信される。
【００５５】
図５Ｂは、本発明のeNodeBセルの帯域幅が1.25MHzより大きくて、フレームおき送信方式のOFDM-TDDサブフレーム構造図である。
【００５６】
eNodeBセルの帯域幅は1.25MHzより大きくて、フレームおき送信方式を採用する。本発明は、下りパイロット情報が存在するサブフレームにおいて、制御スケジューリング情報を下りパイロットタイムスロットに多重し、残りのブロードバンドリソースを占用し、下りパイロット情報が存在しないサブフレームにおいて、制御スケジューリング情報を下りパイロットタイムスロットの全体のブロードバンドリソースにマッピングする。
【００５７】
eNodeBがOFDM-TDDサブフレームを送信する時間は5msであり、フレームおきに送信する時間間隔は、１フレームおき或いは複数フレームおきであってもよい。
【００５８】
図５Ｃは、本発明のeNodeBセルの帯域幅が1.25MHzと同じ場合のフレームおき送信方式のOFDM-TDDサブフレーム構造図である。
【００５９】
eNodeBセルの帯域幅は1.25MHzであり、フレームおき送信方式を採用する。本発明は、下りパイロット情報が存在しないサブフレームにおいて、制御スケジューリング情報を下りパイロットタイムスロットの全体のブロードバンドリソースにマッピングする。
【００６０】
eNodeBがOFDM-TDDサブフレームを送信する時間は5msであり、フレームおきに送信する時間間隔は、１フレーム或いは複数フレームであってもよい。
【００６１】
当然、当業者は、本発明の精神及び範囲を逸脱しない範囲内において、本発明に対して各種の改変及び変形を行ってもよい。本発明のこれらの修正及び変形が本発明の特許請求の範囲及びその均等技術の範囲内にあれば、本発明もこれらの改変及び変形を含めることになる。
【図１】
2010502138.tif 000003
【図２】
2010502138.tif 000004
【図３】
2010502138.tif 000005
【図４】
2010502138.tif 000006
【図５Ａ】
2010502138.tif 000007
【図５Ｂ】
2010502138.tif 000008
【図５Ｃ】
2010502138.tif 000009
【国際調査報告】
2010502138.tif 000010
2010502138.tif 000011
2010502138.tif 000012
2010502138.tif 000013